(57)【要約】【課題】転動しにくく、適度な弾力性を確保することができ、ダンベルとして筋力トレーニングにも使用することができるストレッチ用ボールを提供する。【解決手段】ポリ塩化ビニルによって形成された弾力性を有する中空のボール本体１０と、このボール本体１０の内部に充填された、比重が略１の塑性変形可能なジェル状の充填材２０及び空気３０とから構成されており、ボール本体１０には、ジェル状の充填材２０及び空気３０を充填するための充填口部１１が設けられている。ボール本体１０にジェル状の充填材２０を適宜充填することによって、全重量が６１０ｇ〜１００ｇ、好ましくは、５００ｇ〜１００ｇに設定されており、ボール本体１０が所定サイズの状態で、その内圧が大気圧＋６５ｈｐａ〜大気圧、好ましくは、大気圧＋４５ｈｐａ〜大気圧＋１５ｈｐａの範囲内に入るように、空気３０の充填量が調整されている。【選択図】        図１
2014090901.tif 000002
【特許請求の範囲】
【請求項１】
ゴムまたは合成樹脂によって形成された弾力性を有する中空のボール本体と、
前記ボール本体の内部に充填された空気及び塑性変形可能なジェル状の充填材と
を備えていることを特徴とするストレッチ用ボール。
【請求項２】
全重量が６１０ｇ〜１００ｇ、前記ボール本体の内圧が、大気圧＋６５ｈｐａ〜大気圧の範囲に設定されている請求項１に記載のストレッチ用ボール。
【請求項３】
前記ボール本体がシリコーン樹脂によって形成されている請求項１または２に記載のストレッチ用ボール。
【発明の詳細な説明】
【技術分野】
【０００１】
この発明は、リラクセーションや筋力トレーニングとして使用することができるストレッチ用ボールに関する。
【背景技術】
【０００２】
この種のストレッチ用具としては、例えば、図２に示すように、ゴムや合成樹脂等によって形成された弾力性を有する中空のボール５０があり、内部には空気が充填されている。こういったボール５０を用いてストレッチを行う場合は、このボール５０の上に身体の部位を載せたり、身体の部位をこのボール５０に当てたりすることによって、筋肉や関節をほぐすことができると共に、指先でボールを繰り返し握り締めることによって、握力トレーニングにも使用することができる。
【０００３】
ところで、上述したように、内部に空気だけが充填されたボールは軽量であるため、使用時に容易に転動してしまい、取り扱いにくいといった問題があった。そのため、図３に示すように、ボール５０Ａの内部に砂６０を充填することによって転動しにくくすると共に、砂の重量が加わることで、ダンベルとして筋力トレーニングにも使用することができるようにしたものが考案されている。
【先行技術文献】
【特許文献】
【０００４】
【特許文献１】実用新案登録３１４５３３３号公報
【発明の概要】
【発明が解決しようとする課題】
【０００５】
しかしながら、こういったボールには、逆止弁として機能する空気の充填口部５１が設けられているが、上述したように、内部に砂を充填したものにあっては、その充填口部５１に砂が噛んでしまい、充填されている空気が抜けやすくなってしまうという問題があると共に、砂を充填することによってボールの弾力性が阻害されるという問題もある。
【０００６】
そこで、この発明の課題は、転動しにくく、適度な弾力性を確保することができ、ダンベルとして筋力トレーニングにも使用することができるストレッチ用ボールを提供することにある。
【課題を解決するための手段】
【０００７】
上記の課題を解決するため、請求項１に係る発明は、ゴムまたは合成樹脂によって形成された弾力性を有する中空のボール本体と、前記ボール本体の内部に充填された空気及び塑性変形可能なジェル状の充填材とを備えていることを特徴とするストレッチ用ボールを提供するものである。
【０００８】
また、請求項２に係る発明は、請求項１に係る発明のストレッチ用ボールにおいて、全重量が６１０ｇ〜１００ｇ、前記ボール本体の内圧が、大気圧＋６５ｈｐａ〜大気圧の範囲に設定されていることを特徴としている。特に、全重量が５００ｇ〜１５０ｇ、前記ボール本体の内圧が大気圧＋４５ｈｐａ〜大気圧＋１５ｈｐａの範囲に設定されていることが望ましい。
【０００９】
また、請求項３に係る発明は、請求項１または２に係る発明のストレッチ用ボールにおいて、前記ボール本体がシリコーン樹脂によって形成されていることを特徴としている。
【発明の効果】
【００１０】
以上のように、請求項１に係る発明のストレッチ用ボールは、ボール本体の内部に塑性変形可能なジェル状の充填材が充填されているので、充填されている空気が抜け難く、長期間適正な内圧に保持することができると共に、砂を充填する場合とは異なり、弾力性が低下し難いという効果がある。
【００１１】
また、請求項２に係る発明のストレッチ用ボールは、全重量が６１０ｇ〜１００ｇ、ボール本体の内圧が、大気圧＋６５ｈｐａ〜大気圧の範囲に設定されているので、適度な重量と柔軟性を確保することができる。なお、全重量を６１０ｇ〜１００ｇの範囲に設定したのは、全重量が６１０ｇを越えると、内圧の調整が困難になるからであり、全重量が１００ｇを下回ると、ダンベルとして筋力トレーニングに使用するには軽すぎるからである。また、ボール本体の内圧を、大気圧＋６５ｈｐａ〜大気圧の範囲に設定したのは、ボール本体の内圧が大気圧＋６５ｈｐａを上回ると、硬すぎてストレッチに向かないからであり、ボール本体の内圧が大気圧を下回ると、弾力性がなくなってストレッチに向かないからである。
【００１２】
また、上述したストレッチ用ボールは、冷蔵庫で冷却することによって冷やした状態で使用したり、電子レンジで加熱することによって暖めた状態で使用したりすることができるが、冷蔵庫で繰り返し冷却したり、電子レンジで繰り返し加熱したりすると、ゴムや合成樹脂によって形成された中空のボール本体が劣化し易く、温度変化に対する耐久性に欠けるといった問題がある。
【００１３】
しかしながら、請求項３に係る発明のストレッチ用ボールは、ボール本体がシリコーン樹脂によって形成されているので、温度変化に対する耐久性に優れており、加熱したり、冷却したりしても劣化しにくく、長期使用が可能になるという効果が得られる。
【図面の簡単な説明】
【００１４】
【図１】この発明に係るストレッチ用ボールの一実施形態を示す断面図である。
【図２】従来からストレッチ用具として使用されているボールを示す断面図である。
【図３】ダンベルとして筋肉トレーニングにも使用することができるように改良された、ストレッチ用具として使用される従来のボールを示す断面図である。
【発明を実施するための形態】
【００１５】
以下、実施の形態について図面を参照して説明する。図１は、この発明に係るストレッチ用ボール１を示している。このストレッチ用ボール１は、同図に示すように、ポリ塩化ビニルによって形成された弾力性を有する中空のボール本体１０と、このボール本体１０の内部に充填された、比重が略１の塑性変形可能なジェル状の充填材２０及び空気３０とから構成されており、ボール本体１０には、ジェル状の充填材２０及び空気３０を充填するための充填口部１１が設けられている。なお、充填材２０としては、水１リットルに対して、アクリル酸重合体部分ナトリウム塩架橋物からなる、中心粒径１５０〜７１０μｍ、見かけ密度０．６ｇ／ｍｌの高吸水性樹脂粉末（商品名「サンフレッシュ  ＳＴ−５００Ｄ」三洋化成製）を混合することによって形成された吸水ジェルを使用している。
【００１６】
このストレッチ用ボール１は、ジェル状の充填材２０を充填することによって、その全重量が６１０ｇ〜１００ｇ、好ましくは、５００ｇ〜１５０ｇに設定されており、しかも、ボール本体１０が所定サイズで、その内圧が大気圧＋６５ｈｐａ〜大気圧、好ましくは、大気圧＋４５ｈｐａ〜大気圧＋１５ｈｐａの範囲内に入るように、空気３０が充填されている。
【００１７】
例えば、重量が８２ｇ、周長が３２．５ｃｍ、厚さ２ｍｍのボール本体１０の場合は、その適正重量が６１０ｇ〜１００ｇ、好ましくは、５００ｇ〜１５０ｇであり、ボール本体１０の適正内圧は大気圧＋６５ｈｐａ〜大気圧、好ましくは、大気圧＋４５ｈｐａ〜大気圧＋１５ｈｐａである。
【００１８】
また、重量が６４ｇ、周長が２８．５ｃｍ、厚さ２ｍｍのボール本体１０の場合は、その適正重量が５００ｇ〜１００ｇ、好ましくは、４００ｇ〜１５０ｇであり、ボール本体１０の適正内圧は大気圧＋６５ｈｐａ〜大気圧、好ましくは、大気圧＋４５ｈｐａ〜大気圧＋１５ｈｐａである。
【００１９】
以上のように構成されたストレッチ用ボール１は、ボール本体１０の内部に塑性変形可能なジェル状の充填材２０が充填されているので、砂を充填した場合のように、充填口に砂が噛むことによって密封性能が低下し、内部に充填されている空気が抜けやすくなることがなく、長期間適正な初期内圧に保持することができると共に、砂を充填する場合とは異なり、弾力性が低下し難いという効果がある。
【００２０】
従って、このストレッチ用ボール１は、ストレッチを行う際に転動しにくく、取り扱いやすいと共に、長期間にわたって適度な弾力性を確保することができ、しかも、ダンベルとして筋力トレーニングにも使用することができる。
【００２１】
特に、このストレッチ用ボール１は、ボール本体１０の内部に充填材２０及び空気３０が充填されることによって、全重量が６１０ｇ〜１００ｇ、好ましくは、５００ｇ〜１００ｇに、ボール本体１０の内圧が大気圧＋６５ｈｐａ〜大気圧、好ましくは、大気圧＋４５ｈｐａ〜大気圧＋１５ｈｐａに設定されているので、適度な重量と柔軟性を確保することができる。
【００２２】
なお、上述した実施形態では、ポリ塩化ビニルによって形成されたボール本体１０を使用しているが、これに限定されるものではなく、適度な弾力性及び柔軟性を有するのであれば、種々の合成樹脂やゴム等によって形成されたボール本体を採用することができる。
【００２３】
また、上述したストレッチ用ボール１は、冷蔵庫で冷却することによって冷やした状態で使用したり、電子レンジで加熱することによって暖めた状態で使用したりすることも可能であるが、冷蔵庫で繰り返し冷却したり、電子レンジで繰り返し加熱したりすると、ポリ塩化ビニルによって形成されたボール本体１０が劣化し易く、長期使用が困難になるので、加熱したり、冷却したりして使用する場合は、温度変化に対する耐久性に優れたシリコーン樹脂によってボール本体を形成しておくことが望ましく、これによって長期使用が可能となる。
【産業上の利用可能性】
【００２４】
本発明のストレッチ用ボールは、コリを取る、リラクセーションや筋力トレーニングに利用することができる。
【符号の説明】
【００２５】
１  ストレッチ用ボール
１０  ボール本体
１１  充填口部
２０  充填材
３０  空気
【図１】
2014090901.tif 000003
【図２】
2014090901.tif 000004
【図３】
2014090901.tif 000005